(57)【特許請求の範囲】
【請求項１】
実際に組立てられるワイヤハーネスと同様の構成を有するワイヤハーネスの仮組立用部材であって、
延在方向に沿って第１係合部が形成され、ワイヤハーネスを構成する幹線ハーネスまたは分岐ハーネスとして代用される複数の棒状部材と、
内周部に前記棒状部材の第１係合部に係合可能な第２係合部を有し、棒状部材同士を連結または分岐位置で前記棒状部材に係合可能な連結部材と、
前記棒状部材に沿って移動可能であるとともに、内周部に前記棒状部材の第１係合部に係合可能な第３係合部を有し、端末材として代用される端末部材と、
前記連結部材の外周部に係合する第４係合部を有し、幹線ハーネスを代用する棒状部材の分岐位置から分岐ハーネスを代用する棒状部材を分岐するように分岐位置で棒状部材を連結する分岐部材とを含んでなることを特徴とするワイヤハーネスの仮組立用部材。
【請求項２】
前記棒状部材の長手方向に沿って目盛が形成されることを特徴とする請求項１記載のワイヤハーネスの仮組立用部材。
【発明の詳細な説明】
【０００１】
【発明の属する技術分野】
本発明は、ワイヤハーネスの仮組立用部材に関し、詳しくは、実際にワイヤハーネスを組立てるためにイメージ的にワイヤハーネスを把握することができるワイヤハーネスの仮組立用部材に関する。
【０００２】
【従来の技術】
一般に車体に装着されるワイヤハーネスは、公知のワイヤハーネス組立基板上で電線を１本ずつ配線して結束し、端部に端末部材としてのコネクタを接続したり、外周部に結束バンドを取付ける等の処理を行なうようになっている。
【０００３】
ところで、このワイヤハーネスによっては、幹線ハーネスの複数位置から分岐ハーネスが分岐されるような複雑な配線経路で組立てられるようになっており、組立作業者はワイヤハーネス組立基板上で指示された項目を確認しながらワイヤハーネスを組立てるようになっている。
【０００４】
【発明が解決しようとする課題】
しかしながら、このようなワイヤハーネスの組立方法にあっては、ワイヤハーネス組立基板を見ながらワイヤハーネスを組立てるようになっているため、初心者では組立後のワイヤハーネスの全体図を想像し難い。
【０００５】
このため、実際にワイヤハーネスを組立てて予めその全体図を把握した後、そのサンプルを見ながら、あるいはそのサンプルをイメージしながらワイヤハーネスを組立てる必要があった。この結果、新規なワイヤハーネスを組立てる度に実際に組立てられるワイヤハーネスと同じ構成のサンプルを組立てなければならず、余計な時間と材料費がかかってしまうという問題があった。
【０００６】
そこで本発明は、実際にワイヤハーネスを組立てることなしに、実際に製造されるワイヤハーネスの全体像を把握することができ、簡単、かつ低コストなワイヤハーネスの仮組立用部材を提供することを目的としている。
【０００７】
【課題を解決するための手段】
請求項１記載の発明は、上記課題を解決するために、実際に組立てられるワイヤハーネスと同様の構成を有するワイヤハーネスの仮組立用部材であって、延在方向に沿って第１係合部が形成され、ワイヤハーネスを構成する幹線ハーネスまたは分岐ハーネスとして代用される複数の棒状部材と、内周部に前記棒状部材の第１係合部に係合可能な第２係合部を有し、棒状部材同士を連結または分岐位置で前記棒状部材に係合可能な連結部材と、前記棒状部材に沿って移動可能であるとともに、内周部に前記棒状部材の第１係合部に係合可能な第３係合部を有し、端末材として代用される端末部材と、前記連結部材の外周部に係合する第４係合部を有し、幹線ハーネスを代用する棒状部材の分岐位置から分岐ハーネスを代用する棒状部材を分岐するように分岐位置で棒状部材を連結する分岐部材とを含んでなることを特徴としている。
【０００８】
その場合、ワイヤハーネス組立基板に基づいてワイヤハーネスの仮組立てを行なう際に、幹線ハーネスおよび分岐ハーネスを代用する棒状部材を用い、この棒状部材を連結部材で連結するとともに、幹線ハーネスの分岐位置に分岐部材を取付けて分岐ハーネスを分岐し、さらに、端末部材を棒状部材の端部に取付けることより、長尺のワイヤハーネスを仮組立てすることができる。
【０００９】
また、仮組立後に、棒状部材から連結部材、分岐部材および端末部材を取り外すことによってワイヤハーネスを分解することができるため、異なる種類のワイヤハーネスの仮組立てを行なう際に同様の部材を使用することができる。
【００１０】
この結果、実際にワイヤハーネスを組立てることなしに、実際に製造されるワイヤハーネスの全体像を把握することができ、簡単、かつ低コストなワイヤハーネスの仮組立用部材を提供することができる。
【００１１】
請求項２記載の発明は、上記課題を解決するために、請求項１記載の発明おいて、前記棒状部材の長手方向に沿って目盛が形成されることを特徴としている。
【００１２】
その場合、目盛を基準にして分岐部材および端末部材を棒状部材に取付けることができるので、ワイヤハーネス組立基板で指定された位置に分岐部材および端末部材を簡単に取付けることができる。
【００１３】
【発明の実施の形態】
以下、本発明の実施形態を図面に基づいて説明する。
【００１４】
図１〜６は本発明に係るワイヤハーネスの仮組立用部材の一実施形態を示す図である。
【００１５】
まず、構成を説明する。図１、２において、１はワイヤハーネスを構成する幹線ハーネスまたは分岐ハーネスとして代用される棒状部材であり、この棒状部材１は延在方向に沿って第１係合部としての凹凸部１ａが形成されている。また、この棒状部材１の側面には目盛２が形成されており、この目盛２は約５mm単位で棒状部材１の長手方向に沿って形成されている。
【００１６】
また、棒状部材１には図３に示すような連結部材３が取付け可能になっており、この連結部材３は内周両端部に凹凸部１ａの凹部分に係合可能な凸部（第２係合部）３ａが形成されている。
【００１７】
この連結部材３は凸部３ａが棒状部材１の端部の凹凸部１ａに係合することにより、一対の棒状部材３を連結することができるとともに、棒状部材１の外周部に挿通されて２つの凸部３ａが単体の棒状部材１の凹凸部１ａに係合することにより、棒状部材１の分岐位置に固定可能になっている。
【００１８】
また、棒状部材１には図４に示すようなコネクタとして代用される端末部材４が取付けられるようになっており、この端末部材４は棒状部材１に沿って移動可能であるとともに、内周部に棒状部材１の凹凸部１ａの凹部に係合する一対の凸部（第３係合部）４ａが設けられている。
【００１９】
また、連結部材３には図５に示すような分岐部材５が取付けられるようになっており、この分岐部材５は連結部材３に係合可能なＵ字状の係合部（第４係合部）６と、係合部６と一体的に設けられ、棒状部材１が挿通される挿通孔７ａおよび挿通孔７ａに設けられた棒状部材１の凹凸部１ａの凹部に係合する凸部７ｂを有する筒状部材７とから構成されている。
【００２０】
なお、本実施形態では、棒状部材１、連結部材３、端末部材４および分岐部材５はＰＰ（ポリプロピレン）またはナイロンから構成されている。また、各凸部３ａ、４ａ、７ａは連結部材３、端末部材４および分岐部材５を棒状部材１に沿って移動させたときに凹凸部１ａに衝突したときに変形可能な厚みに形成されている。
【００２１】
次に、ワイヤハーネスの仮組立方法を説明する。
【００２２】
まず、複数の棒状部材１を準備し、図示しないワイヤハーネス組立基板を参照して棒状部材１同士を連結部材３で連結して幹線ハーネスとして代用する。この際、凸部３ａを棒状部材の凹凸部１ａに係合させることによって棒状部材１を連結部材３に固定する。
【００２３】
次いで、連結部材３の外周部に分岐部材５の係合部６を嵌合した後、筒状部材７に分岐ハーネスを代用する棒状部材１を挿通して凸部７ｂに凹凸部１ａを係合させることにより、分岐ハーネスを代用する棒状部材１を分岐部材５に固定する。
【００２４】
次いで、コネクタとして代用される端末部材４に棒状部材１を挿通した後、端末部材４を棒状部材１に沿って移動させた後、凹凸部１ａに凸部４ａを係合させることにより、端末部材４を棒状部材１に固定する。
【００２５】
この後、図６に示すように棒状部材１の外周部にコルゲート管８を装着して実際のワイヤハーネスと同様の構成を有するワイヤハーネスの仮組立を行なうことができる。この結果、実際にワイヤハーネスを組立てることなしに、実際に製造されるワイヤハーネスの全体像を把握して、サンプルとして利用したワイヤハーネスに基づいてワイヤハーネスの製造上の問題点を解析することができ、簡単、かつ低コストなワイヤハーネスの仮組立用部材を提供することができる。
【００２６】
そして、棒状部材１から連結部材３、分岐部材５および端末部材４を取り外すことによってワイヤハーネスを分解することができるため、異なる種類のワイヤハーネスの仮組立を行なう際に同様の部材を使用することができる。
【００２７】
また、本実施形態では、棒状部材１の長手方向に沿って目盛２を形成したため、目盛２を基準にして分岐部材５および端末部材４を棒状部材１に取付けることができるので、ワイヤハーネス組立基板で指定された位置に分岐部材５および端末部材４を簡単に取付けることができる。
【００２８】
なお、本実施形態では、連結部材３を分岐位置としてこの連結部材３に分岐部材５を取付けているが、これに限らず、棒状部材１の任意の位置の外周部に連結部材３を取付け、この位置を分岐位置として連結部材３に分岐部材５を取付けるようにしても良い。
【００２９】
【発明の効果】
請求項１記載の発明によれば、実際にワイヤハーネスを組立てることなしに、実際に製造されるワイヤハーネスの全体像を把握することができ、簡単、かつ低コストなワイヤハーネスの仮組立用部材を提供することができる。
【００３０】
請求項２記載の発明によれば、目盛を基準にして分岐部材および端末部材を棒状部材に取付けることができるので、ワイヤハーネス組立基板で指定された位置に分岐部材および端末部材を簡単に取付けることができる。
【図面の簡単な説明】
【図１】本発明に係るワイヤハーネスの仮組立用部材の一実施形態を示す図であり、その全体構成図である。
【図２】（ａ）は一実施形態の棒状部材の構成図、（ｂ）は棒状部材の凹凸部の構成図である。
【図３】（ａ）は一実施形態の連結部材の構成図、（ｂ）は連結部材の側面図である。
【図４】（ａ）は一実施形態の端末部材の構成図、（ｂ）は端末部材の側面図である。
【図５】（ａ）は一実施形態の分岐部材の構成図、（ｂ）は分岐部材の構成図、（ｃ）は連結部材と分岐部材の係合状態を示す図である。
【図６】一実施形態の棒状部材にコルゲート管を装着した状態を示すワイヤハーネスの全体構成図である。
【符号の説明】
１    棒状部材
１ａ    凹凸部（第１係合部）
２    目盛
３    連結部材
３ａ    凸部（第２係合部）
４    端末部材
４ａ    凸部（第３係合部）
５    分岐部材
６    係合部（第４係合部）
【図１】
0003719096.tif 000002
【図２】
0003719096.tif 000003
【図３】
0003719096.tif 000004
【図４】
0003719096.tif 000005
【図５】
0003719096.tif 000006
【図６】
0003719096.tif 000007